(57)【要約】【課題】この発明は、映像表示装置に生じる焼付けを軽減させることを目的としている。【解決手段】  映像が含まれる放送を受信する手段（１０）と、放送にＯＳＤ表示が重畳されるか否かを判断する手段（１８）と、放送にＯＳＤ表示が重畳されると判断された場合はＯＳＤ表示が重畳される映像の明るさを検出する手段（１８）と、検出された映像の明るさに合わせて予め設定されたテーブルに基づいて出力する映像の、明るさを決定する手段（１８）と、検出した明るさと決定した明るさを比較し、検出した明るさと決定した明るさが異なる場合は決定した明るさで映像信号を出力する手段（１８）とを備える。【選択図】  図１
2005167370.tif 000002
【特許請求の範囲】
【請求項１】
放送を受信して出力する放送受信装置において、
映像が含まれる放送を受信する放送受信手段と、
受信された放送にＯＳＤ表示が重畳されるか否かを判断するＯＳＤ表示判断手段と、
受信された放送にＯＳＤ表示が重畳されると判断された場合はＯＳＤ表示が重畳される映像の明るさを検出する明るさ検出手段と、
前記検出された映像の明るさに合わせて予め設定されたテーブルに基づいて出力する映像の明るさを決定する明るさ決定手段と、
前記検出した明るさと前記決定した明るさを比較し、検出した明るさと決定した明るさが異なる場合は前記決定した明るさで映像信号を出力する映像信号出力手段とを備えることを特徴とする放送受信装置。
【請求項２】
放送を受信して出力する放送受信装置において、
映像が含まれる放送を受信する放送受信手段と、
受信された放送にＯＳＤ表示が重畳されるか否かを判断するＯＳＤ表示判断手段と、
受信された放送にＯＳＤ表示が重畳されると判断された場合はＯＳＤ表示が重畳される映像の明るさを検出する明るさ検出手段と、
前記検出された映像の明るさに合わせて予め設定されたテーブルに基づいて出力する映像の明るさを決定する明るさ決定手段と、
前記検出した明るさが予め設定した時間変化しないか否かを判断する明るさ時間判断手段と、
前記検出した明るさが予め設定した時間変化しないと判断した場合は前記検出した明るさと前記決定した明るさを比較し、検出した明るさと決定した明るさが異なる場合は前記決定した明るさで映像信号を出力する映像信号出力手段とを備えることを特徴とする放送受信装置。
【請求項３】
放送を受信して出力する放送受信装置において、
映像が含まれる放送を受信する放送受信手段と、
受信された放送にＯＳＤ表示が重畳されるか否かを判断するＯＳＤ表示判断手段と、
受信された放送にＯＳＤ表示が重畳されると判断された場合はＯＳＤ表示が重畳される映像の明るさを検出する明るさ検出手段と、
前記検出された映像の明るさに合わせて予め設定されたテーブルに基づいて出力する映像の明るさを決定する明るさ決定手段と、
前記検出した明るさと前記決定した明るさを比較し、検出した明るさと決定した明るさが異なる場合は前記決定した明るさになるように予め設定した時間をかけて徐々に明るさを変更して映像信号を出力する映像信号出力手段とを備えることを特徴とする放送受信装置。
【請求項４】
放送を受信して出力する放送受信装置において、
映像が含まれる放送を受信する放送受信手段と、
受信された放送にＯＳＤ表示が重畳されるか否かを判断するＯＳＤ表示判断手段と、
前記ＯＳＤ表示はパーマネント表示であるか否かを判断するＯＳＤパーマネント表示判断手段と、
受信された放送にＯＳＤ表示が重畳されると判断された場合は、前記ＯＳＤ表示はパーマネント表示であると判断された場合に、ＯＳＤ表示が重畳される映像の明るさを検出する明るさ検出手段と、
前記検出された映像の明るさに合わせて予め設定されたテーブルに基づいて出力する映像の明るさを決定する明るさ決定手段と、
前記検出した明るさと前記決定した明るさを比較し、検出した明るさと決定した明るさ
が異なる場合は前記決定した明るさで映像信号を出力する映像信号出力手段とを備えることを特徴とする放送受信装置。
【請求項５】
前記映像の明るさの検出はＡＰＬ（平均輝度レベル）を用いて検出されることを特徴とする請求項１乃至４に記載の放送受信装置。
【請求項６】
前記ＯＳＤ表示が重畳されるか否かの判断は予め設定された所定の時間毎に行われることを特徴とする請求項１乃至５に記載の放送受信装置。
【請求項７】
前記放送受信装置は前記出力された映像信号を受信し、映像を表示する映像表示手段とをさらに備えることを特徴とする請求項１乃至６に記載の放送受信装置。
【請求項８】
前記テーブルは前記放送受信装置内に設けられ、前記設定は変更可能に構成されることを特徴とする請求項１乃至７に記載の放送受信装置。
【請求項９】
映像信号を受信して映像処理を施して出力する映像信号出力装置において、
映像信号を受信する映像信号受信手段と、
受信された映像信号にＯＳＤ表示が重畳されるか否かを判断するＯＳＤ表示判断手段と、
受信された映像信号にＯＳＤ表示が重畳されると判断された場合はＯＳＤ表示が重畳される映像の明るさを検出する明るさ検出手段と、
前記検出された映像の明るさに合わせて予め設定されたテーブルに基づいて出力する映像の明るさを決定する明るさ決定手段と、
前記検出した明るさと前記決定した明るさを比較し、検出した明るさと決定した明るさが異なる場合は前記決定した明るさとなるよう映像処理を施して映像信号を出力する映像信号出力手段とを備えることを特徴とする映像信号出力装置。
【請求項１０】
映像が含まれる放送を受信するステップと、
受信された放送にＯＳＤ表示が重畳されるか否かを判断するステップと、
受信された放送にＯＳＤ表示が重畳されると判断された場合はＯＳＤ表示が重畳される映像の明るさを検出するステップと、
前記検出された映像の明るさに合わせて予め設定されたテーブルに基づいて出力する映像の明るさを決定するステップと、
前記検出した明るさと前記決定した明るさを比較し、検出した明るさと決定した明るさが異なる場合は前記決定した明るさで映像信号を出力するステップとを備えることを特徴とする放送受信方法。
【請求項１１】
映像が含まれる放送を受信するステップと、
受信された放送にＯＳＤ表示が重畳されるか否かを判断するステップと、
受信された放送にＯＳＤ表示が重畳されると判断された場合はＯＳＤ表示が重畳される映像の明るさを検出するステップと、
前記検出された映像の明るさに合わせて予め設定されたテーブルに基づいて出力する映像の明るさを決定するステップと、
前記検出した明るさが予め設定した時間変化しないか否かを判断するステップと、
前記検出した明るさが予め設定した時間変化しないと判断した場合は前記検出した明るさと前記決定した明るさを比較し、検出した明るさと決定した明るさが異なる場合は前記決定した明るさで映像信号を出力するステップとを備えることを特徴とする放送受信方法。
【請求項１２】
映像が含まれる放送を受信するステップと、
受信された放送にＯＳＤ表示が重畳されるか否かを判断するステップと、
受信された放送にＯＳＤ表示が重畳されると判断された場合はＯＳＤ表示が重畳される映像の明るさを検出するステップと、
前記検出された映像の明るさに合わせて予め設定されたテーブルに基づいて出力する映像の明るさを決定するステップと、
前記検出した明るさと前記決定した明るさを比較し、検出した明るさと決定した明るさが異なる場合は前記決定した明るさになるように予め設定した時間をかけて徐々に明るさを変更して映像信号を出力するステップとを備えることを特徴とする放送受信方法。
【請求項１３】
映像が含まれる放送を受信するステップと、
受信された放送にＯＳＤ表示が重畳されるか否かを判断するステップと、
前記ＯＳＤ表示はパーマネント表示であるか否かを判断するステップと、
受信された放送にＯＳＤ表示が重畳されると判断された場合は、前記ＯＳＤ表示はパーマネント表示であると判断された場合に、ＯＳＤ表示が重畳される映像の明るさを検出するステップと、
前記検出された映像の明るさに合わせて予め設定されたテーブルに基づいて出力する映像の明るさを決定するステップと、
前記検出した明るさと前記決定した明るさを比較し、検出した明るさと決定した明るさが異なる場合は前記決定した明るさで映像信号を出力するステップとを備えることを特徴とする放送受信方法。
【発明の詳細な説明】
【技術分野】
【０００１】
この発明は、放送を受信して出力する放送受信装置に関する。またこの発明は、映像表示装置に生じる焼付けを軽減させることを目的とした放送受信装置に関する。
【背景技術】
【０００２】
現在、プラズマディスプレーやプロジェクションＴＶ、直視管（ブラウン管）等の映像表示装置において、例えばＯＳＤ（オン・スクリーン・ディスプレー）を表示することによって、焼付けが生じるという問題がある。
【０００３】
特許文献１には、ピーク輝度検出器により検出された平均輝度値から低変化画像を検出し、低変化画像が検出された場合は映像信号の輝度を減少させてＰＤＰ（プラズマ・ディスプレイ・パネル）上に表示する技術が開示されている。しかしながら、この特許文献１では具体的な処理の方法が開示されておらず、製品に応用するという意味ではまだ充分ではなかった。
【特許文献１】特開２００１−７５５２９号公報
【発明の開示】
【発明が解決しようとする課題】
【０００４】
従来の放送受信装置は、例えばＯＳＤ（オン・スクリーン・ディスプレー）を表示することによって、プラズマディスプレーやプロジェクションＴＶ、直視管（ブラウン管）等の映像表示装置に焼付けを生じさせることがあるという問題があった。
【課題を解決するための手段】
【０００５】
この発明に係る放送受信装置は、映像が含まれる放送を受信する放送受信手段と、受信された放送にＯＳＤ表示が重畳されるか否かを判断するＯＳＤ表示判断手段と、受信された放送にＯＳＤ表示が重畳されると判断された場合はＯＳＤ表示が重畳される映像の明るさを検出する明るさ検出手段と、前記検出された映像の明るさに合わせて予め設定されたテーブルに基づいて出力する映像の明るさを決定する明るさ決定手段と、前記検出した明るさと前記決定した明るさを比較し、検出した明るさと決定した明るさが異なる場合は前記決定した明るさで映像信号を出力する映像信号出力手段とを備えるように構成している。
【０００６】
またこの発明に係る放送受信方法は、映像が含まれる放送を受信するステップと、受信された放送にＯＳＤ表示が重畳されるか否かを判断するステップと、受信された放送にＯＳＤ表示が重畳されると判断された場合はＯＳＤ表示が重畳される映像の明るさを検出するステップと、前記検出された映像の明るさに合わせて予め設定されたテーブルに基づいて出力する映像の明るさを決定するステップと、前記検出した明るさと前記決定した明るさを比較し、検出した明るさと決定した明るさが異なる場合は前記決定した明るさで映像信号を出力するステップとを備えるように構成している。。
【発明の効果】
【０００７】
上記した構成によれば、例えばＯＳＤ（オン・スクリーン・ディスプレー）を表示することによって、プラズマディスプレーやプロジェクションＴＶ、直視管（ブラウン管）等の映像表示装置に生じさせる恐れのある焼付けを軽減させることが可能となる。
【発明を実施するための最良の形態】
【０００８】
以下、図面を参照してこの発明に係る実施の形態を説明する。
【０００９】
図１はこの発明の実施の形態を示すもので、放送受信装置の概略を示すブロック図である。
【００１０】
符号９は放送を受信するアンテナである。この発明はアナログ放送でもよいが、ここではデジタル放送を例にとって説明する。符号１０は放送受信部（放送受信手段）、符号１１はＴＳ処理部、符号１２はＭＰＥＧデコード部、符号１３はグラフィック重畳部、符号１４は映像信号処理部（映像信号出力手段）、符号１５は画像表示部（映像表示手段）、符号１６は音声信号処理部（音声信号出力手段）、符号１７はスピーカ（音声出力手段）、符号１８はＣＰＵ、符号２０はＥＥＰＲＯＭ等のメモリ（記憶媒体）である。メモリ２０には、後述するＡＰＬ（Average Picture Level、平均輝度レベル）に合わせてＯＳＤの明るさを決定するためのテーブルが設定される。
【００１１】
符号３０は放送受信装置、符号４０は放送受信装置３０を制御するリモコンである。
【００１２】
ＣＰＵ１８は放送受信装置３０内に設けられた放送受信部１０、ＴＳ処理部１１、ＭＰＥＧデコード部１２、グラフィック重畳部１３、映像信号処理部１４、画像表示部１５、音声信号処理部１６、スピーカ１７、メモリ１９、電源２０に接続され、それぞれを制御する。
【００１３】
アンテナ９で映像が含まれるデジタル放送が受信され、放送受信部１０へ出力される。放送受信部１０ではデジタル放送が選局され、選局された放送がＴＳ処理部（Transport Stream処理部）１２へ出力される（放送受信手段）。
【００１４】
ＴＳ処理部１１ではデジタル放送のTransport StreamがDemux（デマルチプレクス）処理され、ＭＰＥＧデコード部１２へ出力される。ＭＰＥＧデコード部１２ではTransport StreamがDemux処理された放送信号がＭＰＥＧデコード処理されて出力される。
【００１５】
ここで、ＭＰＥＧデコード処理は上記デジタル放送がＭＰＥＧ４圧縮の形態で送信される場合はＭＰＥＧ４のデコード処理が行われ、上記デジタル放送がＭＰＥＧ２圧縮の形態で送信される場合はＭＰＥＧ２のデコード処理が行われる。また、上記デジタル放送がＨ２４６圧縮の形態で送信される場合はＨ２４６のデコード処理が行われる。
【００１６】
ＭＰＥＧデコード部１２でデコード処理されて出力された放送信号はグラフィック重畳部１３へ入力される。グラフィック重畳部１３では所定のグラフィックが重畳され、映像信号処理部１４へ出力される。ここでのグラフィックはＯＳＤ表示も含むものである。映像信号処理部１４では所定のグラフィック（ＯＳＤ含む）が重畳された放送信号の映像処理を行い、画像表示部（映像表示部）１５へ映像信号を出力する。
【００１７】
また、ＣＰＵ１８と映像信号処理部１４の間で通信が行われ、ＣＰＵ１８は、後述するように、映像信号処理部１４へ入力される映像信号を用いて、ＡＰＬ（Average Picture Level）を用いて、受信された放送にＯＳＤ表示が重畳されるか否かを判断する（ＯＳＤ表示判断手段）。受信された放送にＯＳＤ表示が重畳されると判断された場合はＯＳＤ表示が重畳される映像の明るさを検出する（明るさ検出手段）。尚、映像信号の明るさ検出においては、映像全体の検出であってもよいし、映像信号の一部の検出であってもよい。また、検出された映像の明るさに合わせて予め設定されたテーブル（メモリ２０に設定されている）に基づいて出力する映像の明るさを決定する（明るさ決定手段）。また、検出した明るさと前記決定した明るさを比較し、検出した明るさと決定した明るさが異なる場合は前記決定した明るさで映像信号を出力する（映像信号出力手段）。画像表示部（映像
表示部）１５ではこれらの映像信号を受信し、映像を表示する。
【００１８】
また、ＭＰＥＧデコード部１２でデコード処理されて出力された放送信号は音声信号処理部１６へ出力される。音声信号処理部１４ではＡＣ３等の音声圧縮のデコード処理を行い、スピーカ（音声出力部）１７へ音声信号を出力する。スピーカ（音声出力部）１７では音声信号を受信し、音声を出力する。
【００１９】
ＣＰＵ１８は、特に図示しないが時計に接続されている。後述するＯＳＤ表示があるか否かの定期的な処理はこの時計を使用する。
【００２０】
リモコン４０はユーザに操作される。後述するが、テーブルは設定されているので、メモリ２０に予め設定されているテーブル（検出された映像の明るさに合わせて出力するＯＳＤの明るさがＣＰＵ１８で決定されるために使用される）はユーザに操作によって適宜変更することが可能である。
【００２１】
図２はこの発明の実施の形態を示すもので、ＯＳＤ表示の一例を示す図である。ここでは、北米で実施されているＶ−ＣＨＩＰ（視聴制限）のＯＳＤ表示を例にとって説明する。
【００２２】
この例ではＶ−ＣＨＩＰによって放送番組の視聴制限が係り、ＰＤＰ等の画像表示部（映像表示部）１５に放送を表示できない旨のＯＳＤ表示が行われる。ここで、このＯＳＤ表示は設定を変更するとか、受信する放送を変更する等の何らかのユーザーによる操作が行われない限り、パーマネントに表示される。上記のように、ＯＳＤ表示が長時間放置されると、例えばＰＤＰ等の画像表示部（映像表示部）１５ではその部分が他の部分より強く焼付き、いわゆる、焼付きが問題となる。そこで、この発明においては、検出された映像の明るさに合わせて予め設定されたテーブルに基づいて出力する映像の明るさを決定するように構成する。
【００２３】
図３は、この発明の実施の形態を示すもので、検出された映像の明るさに合わせて映像の明るさを決定して出力するための予め設定されたテーブルを示す図である。
【００２４】
上記のように、ＣＰＵ１８は、映像信号処理部１４へ入力される映像信号を用いて、ＡＰＬ（Average Picture Level）を用いて、受信された放送にＯＳＤ表示が重畳されるか否かを判断する。このとき、検出されたＡＰＬによってＯＳＤの明るさを決定する。
【００２５】
検出されるＡＰＬデータをそのデータ数に応じて、複数段階に分ける。そして、それらの各段階にあわせて、出力するＯＳＤの明るさを決めるためのテーブルを用意する。
【００２６】
ここでは、検出されたＡＰＬデータの段階が低いほど受信映像は暗く、ＡＰＬデータの段階が高いほど受信映像は明るいものとする。そして、それらに対応するように出力するＯＳＤの 明るさの段階も、ＡＰＬ段階が低いほどＯＳＤ出力を暗く、ＡＰＬ段階が高いほどＯＳＤ出力を明るくするように決定する。
【００２７】
例えば、ＡＰＬデータが００（ＨＥＸ：Hexagonal（１６進数））以下の場合はＡＰＬの段階を１、ＯＳＤの段階は１、ＯＳＤ出力を２０（ＨＥＸ）とする。また、ＡＰＬデータが４０（ＨＥＸ）以下で００（ＨＥＸ）を超える場合はＡＰＬの段階を２、ＯＳＤの段階を２、ＯＳＤ出力を４０（ＨＥＸ）、ＡＰＬデータが６０（ＨＥＸ）以下で４０（ＨＥＸ）を超える場合はＡＰＬの段階を３、ＯＳＤの段階を３、ＯＳＤ出力を８０（ＨＥＸ）、ＡＰＬデータが８０（ＨＥＸ）以下で６０（ＨＥＸ）を超える場合はＡＰＬの段階を４、ＯＳＤの段階を４、ＯＳＤ出力をＡ０（ＨＥＸ）、ＡＰＬデータがＦＦ（ＨＥＸ）以下
で８０（ＨＥＸ）を超える場合はＡＰＬの段階を５、ＯＳＤの段階を５、ＯＳＤ出力をＢ０（ＨＥＸ）とする。これらの決定はテーブルを用いてＣＰＵ１８によって行われる。
【００２８】
図４はこの発明の実施の形態を示すもので、放送受信装置の動作を説明するフローチャートである。
【００２９】
符号１００はここでのスタート（開始）ステップである。続いて符号１０１を付したステップへ進む。
【００３０】
符号１０１は上記のように時計を用いて所定時間（例えば５００ｍｓ）経過したか否かを判断するステップである。所定時間経過したと判断する場合は符号１０２を付したステップへ進む（Ｙｅｓ）。所定時間経過したと判断しない場合は符号１０１を付したステップへ戻り上記処理を行う（Ｎｏ）。これによって所定時間毎に定期的にＡＰＬの検出を行う。
【００３１】
符号１０２はＯＳＤ表示が指示された（放送信号に重畳された）か否かを判断するステップである。ＯＳＤ表示が指示された（放送信号に重畳された）と判断する場合は符号１０３を付したステップへ進む（Ｙｅｓ）。ＯＳＤ表示が指示されない（放送信号に重畳されない）と判断する場合は符号１０８を付したステップへ進む（Ｎｏ）。
【００３２】
符号１０３は映像信号処理部１４へ入力される映像信号のＡＰＬを検出するステップである。尚、入力映像信号のＡＰＬ検出においては、映像全体のＡＰＬ検出であってもよいし、映像の一部のＡＰＬ検出であってもよい。続いて符号１０４を付したステップへ進む。
【００３３】
符号１０４は検出されたＡＰＬに合わせて、上記の予め設定されたテーブルに基づいて、ＯＳＤの明るさを決定するステップである。続いて符号１０５を付したステップへ進む。
【００３４】
符号１０５は上記検出されたＡＰＬに基づく現在の明るさと上記決定された明るさを比較し、現在の明るさと決定された明るさは異なるか否かを判断するステップである。現在の明るさと決定された明るさは異なると判断する場合は符号１０６を付したステップへ進む（Ｙｅｓ）。現在の明るさと決定された明るさは異なると判断しない場合は符号１０８を付したステップへ進む（Ｎｏ）。
【００３５】
符号１０６は決定された明るさでＯＳＤを出力するステップである。続いて符号１０８を付したステップへ進む。
【００３６】
符号１０８はエンド（終了）ステップであり、ここでの処理は終了する。
【００３７】
図５はこの発明の、他の実施の形態を示すもので、放送受信装置の動作を説明するフローチャートである。
【００３８】
符号１００はここでのスタート（開始）ステップである。続いて符号１０１を付したステップへ進む。
【００３９】
符号１０１は上記のように時計を用いて所定時間（例えば５００ｍｓ）経過したか否かを判断するステップである。所定時間経過したと判断する場合は符号１０２を付したステップへ進む（Ｙｅｓ）。所定時間経過したと判断しない場合は符号１０１を付したステップへ戻り上記処理を行う（Ｎｏ）。これによって所定時間毎に定期的にＡＰＬの検出を行
う。
【００４０】
符号１０２はＯＳＤ表示が指示された（放送信号に重畳された）か否かを判断するステップである。ＯＳＤ表示が指示された（放送信号に重畳された）と判断する場合は符号１０３ａを付したステップへ進む（Ｙｅｓ）。ＯＳＤ表示が指示されない（放送信号に重畳されない）と判断する場合は符号１０８を付したステップへ進む（Ｎｏ）。
【００４１】
符号１０３ａは映像信号処理部１４へ入力される映像信号のＡＰＬを検出するステップである。尚、入力映像信号のＡＰＬ検出においては、映像全体のＡＰＬ検出であってもよいし、映像の一部のＡＰＬ検出であってもよい。続いて符号１０３ｂを付したステップへ進む。
【００４２】
符号１０３ｂはＡＰＬの変化が一定時間（ここでは１分間）ない（ＡＰＬが１分間同じ）か否かを検出するステップである。ＡＰＬの変化が一定時間（ここでは１分間）ない（ＡＰＬが１分間同じ）と判断された場合は符号１０４を付したステップへ進む（Ｙｅｓ）。ＡＰＬの変化が一定時間（ここでは１分間）ない（ＡＰＬが１分間同じ）と判断されない場合は符号１０３ａを付したステップへ進む（Ｎｏ）。
【００４３】
符号１０４は検出されたＡＰＬに合わせて、上記の予め設定されたテーブルに基づいて、ＯＳＤの明るさを決定するステップである。続いて符号１０５を付したステップへ進む。
【００４４】
符号１０５は上記検出されたＡＰＬに基づく現在の明るさと上記決定された明るさを比較し、現在の明るさと決定された明るさは異なるか否かを判断するステップである。現在の明るさと決定された明るさは異なると判断する場合は符号１０６を付したステップへ進む（Ｙｅｓ）。現在の明るさと決定された明るさは異なると判断しない場合は符号１０８を付したステップへ進む（Ｎｏ）。
【００４５】
符号１０６は決定された明るさでＯＳＤを出力するステップである。続いて符号１０８を付したステップへ進む。
【００４６】
符号１０８はエンド（終了）ステップであり、ここでの処理は終了する。
【００４７】
このように構成することで、ＯＳＤの明るさが頻繁に変わることによる、いわゆるちらつき、を軽減することが可能となる。
【００４８】
図６はこの発明の実施の形態を示すもので、放送受信装置の動作を説明するフローチャートである。
【００４９】
符号１００はここでのスタート（開始）ステップである。続いて符号１０１を付したステップへ進む。
【００５０】
符号１０１は上記のように時計を用いて所定時間（例えば５００ｍｓ）経過したか否かを判断するステップである。所定時間経過したと判断する場合は符号１０２を付したステップへ進む（Ｙｅｓ）。所定時間経過したと判断しない場合は符号１０１を付したステップへ戻り上記処理を行う（Ｎｏ）。これによって所定時間毎に定期的にＡＰＬの検出を行う。
【００５１】
符号１０２はＯＳＤ表示が指示された（放送信号に重畳された）か否かを判断するステップである。ＯＳＤ表示が指示された（放送信号に重畳された）と判断する場合は符号１
０３を付したステップへ進む（Ｙｅｓ）。ＯＳＤ表示が指示されない（放送信号に重畳されない）と判断する場合は符号１０８を付したステップへ進む（Ｎｏ）。
【００５２】
符号１０３は映像信号処理部１４へ入力される映像信号のＡＰＬを検出するステップである。尚、入力映像信号のＡＰＬ検出においては、映像全体のＡＰＬ検出であってもよいし、映像の一部のＡＰＬ検出であってもよい。続いて符号１０４を付したステップへ進む。
【００５３】
符号１０４は検出されたＡＰＬに合わせて、上記の予め設定されたテーブルに基づいて、ＯＳＤの明るさを決定するステップである。続いて符号１０５を付したステップへ進む。
【００５４】
符号１０５は上記検出されたＡＰＬに基づく現在の明るさと上記決定された明るさを比較し、現在の明るさと決定された明るさは異なるか否かを判断するステップである。現在の明るさと決定された明るさは異なると判断する場合は符号２０６を付したステップへ進む（Ｙｅｓ）。現在の明るさと決定された明るさは異なると判断しない場合は符号１０８を付したステップへ進む（Ｎｏ）。
【００５５】
符号２０６は決定された明るさになるように、ここでは１秒間かけて徐々に明るさを変更してＯＳＤを出力するステップである。続いて符号１０８を付したステップへ進む。
【００５６】
符号１０８はエンド（終了）ステップであり、ここでの処理は終了する。
【００５７】
このように構成することで、ＯＳＤの明るさが急激に変わることによるちらつきを軽減することが可能となる。
図７はこの発明の実施の形態を示すもので、放送受信装置の動作を説明するフローチャートである。
【００５８】
符号１００はここでのスタート（開始）ステップである。続いて符号１０１を付したステップへ進む。
【００５９】
符号１０１は上記のように時計を用いて所定時間（例えば５００ｍｓ）経過したか否かを判断するステップである。所定時間経過したと判断する場合は符号１０２ａを付したステップへ進む（Ｙｅｓ）。所定時間経過したと判断しない場合は符号１０１を付したステップへ戻り上記処理を行う（Ｎｏ）。これによって所定時間毎に定期的にＡＰＬの検出を行う。
【００６０】
符号１０２ａはＯＳＤ表示が指示された（放送信号に重畳された）か否かを判断するステップである。ＯＳＤ表示が指示された（放送信号に重畳された）と判断する場合は符号１０２ｂを付したステップへ進む（Ｙｅｓ）。ＯＳＤ表示が指示されない（放送信号に重畳されない）と判断する場合は符号１０８を付したステップへ進む（Ｎｏ）。
【００６１】
符号１０２ｂはＯＳＤ表示がパーマネントか否かを判断するステップである。ＯＳＤ表示は上記Ｖ−ＣＨＩＰによる視聴制限表示やＭＵＴＥ（音消）等のように、ユーザ操作を受けるまで表示を続けるパーマネント表示と、例えば北米ＴＶセットでよく用いられる設定画面表示等のようなパートタイム表示（タイマーカウントによって１５秒間程度で表示が消える）がある。特に、上記パーマネント表示はユーザ操作を受けるまで表示を続けるので、焼付きがより起こりやすいという問題がある。そこで、ここでは、ＯＳＤ表示がパーマネントであると判断する場合は符号１０３を付したステップへ進む（Ｙｅｓ）。ＯＳＤ表示がパーマネントであると判断しない場合は符号１０８を付したステップへ進む（Ｙ
ｅｓ）。
【００６２】
符号１０３は映像信号処理部１４へ入力される映像信号のＡＰＬを検出するステップである。尚、入力映像信号のＡＰＬ検出においては、映像全体のＡＰＬ検出であってもよいし、映像の一部のＡＰＬ検出であってもよい。続いて符号１０４を付したステップへ進む。
【００６３】
符号１０４は検出されたＡＰＬに合わせて、上記の予め設定されたテーブルに基づいて、ＯＳＤの明るさを決定するステップである。続いて符号１０５を付したステップへ進む。
【００６４】
符号１０５は上記検出されたＡＰＬに基づく現在の明るさと上記決定された明るさを比較し、現在の明るさと決定された明るさは異なるか否かを判断するステップである。現在の明るさと決定された明るさは異なると判断する場合は符号１０６を付したステップへ進む（Ｙｅｓ）。現在の明るさと決定された明るさは異なると判断しない場合は符号１０８を付したステップへ進む（Ｎｏ）。
【００６５】
符号１０６は決定された明るさでＯＳＤを出力するステップである。続いて符号１０８を付したステップへ進む。
【００６６】
符号１０８はエンド（終了）ステップであり、ここでの処理は終了する。
【００６７】
このように構成することで、ＯＳＤのパーマネント表示による焼付きを軽減することが可能となる。
【００６８】
なお、この発明は上記した実施の形態そのままに限定されるものではなく、実施段階ではその趣旨を逸脱しない範囲で構成要素を種々変形して具体化することができる。
【図面の簡単な説明】
【００６９】
【図１】この発明の実施の形態を示すもので、放送受信装置の概略を示すブロック図。
【図２】この発明の実施の形態を示すもので、ＯＳＤ表示の一例を示す図。
【図３】この発明の実施の形態を示すもので、検出された映像の明るさに合わせて映像の明るさを決定して出力するための予め設定されたテーブルを示す図。
【図４】この発明の実施の形態を示すもので、放送受信装置の動作を説明するフローチャート。
【図５】この発明の、他の実施の形態を示すもので、放送受信装置の動作を説明するフローチャート。
【図６】この発明の、他の実施の形態を示すもので、放送受信装置の動作を説明するフローチャート。
【図７】この発明の、他の実施の形態を示すもので、放送受信装置の動作を説明するフローチャート。
【符号の説明】
【００７０】
９…アンテナ、１０…放送受信部（放送受信手段）、１１…ＴＳ処理部、１２…ＭＰＥＧデコード部、１３…グラフィック重畳部、１４…映像信号処理部（映像信号出力手段）、１５…画像表示部（映像表示手段）、１６…音声信号処理部（音声信号出力手段）、１７…スピーカ（音声出力手段）、１８…ＣＰＵ、２０…メモリ（テーブル設定手段）、３０…放送受信装置、４０…リモコン。
【図１】
2005167370.tif 000003
【図２】
2005167370.tif 000004
【図３】
2005167370.tif 000005
【図４】
2005167370.tif 000006
【図５】
2005167370.tif 000007
【図６】
2005167370.tif 000008
【図７】
2005167370.tif 000009